(57)【要約】【課題】可燃性を有するＨＣ冷媒の冷却装置の自動販売機において、冷媒漏れに対するリスクを低減し安全性を高める。【解決手段】自動販売機本体の下部に位置する機械室７の室内に配設された可燃性冷媒を使用した冷凍装置８と電気部品収納部９の間に仕切り壁１９を設け、自動販売機の扉２を閉じた時、仕切り壁１９と扉２が当接することで、冷凍装置８と電気部品収納部９は遮断された２つの空間にそれぞれ配置される状態となり、万一、可燃性冷媒漏洩時に、可燃性冷媒が電気部品収納部９および操作部１６を備えた電気部品ボックス１７を有する領域へ浸入するのを防止することで、電気部品ボックス１７の着火源によって、可燃性冷媒に引火あるいは爆発するのを防止することができる。【選択図】  図１
2004295618.tif 000002
【特許請求の範囲】
【請求項１】
自動販売機本体の下部に位置する機械室内に可燃性冷媒を使用した冷凍装置と電気部品収納部を配設した自動販売機において、前記冷凍装置と前記電気部品収納部の間に仕切り壁を設け、自動販売機の扉を閉じた時、前記仕切り壁と前記扉が当接し、前記冷凍装置と電気部品収納部との通気を遮断することを特徴とする自動販売機。
【請求項２】
扉側に第２仕切り壁を設け、扉を閉じた時に仕切り壁と当接し、前記冷凍装置と電気部品収納部との通気を遮断することを特徴とする請求項１に記載の自動販売機。
【請求項３】
自動販売機本体の下部に位置する機械室の室内に可燃性冷媒を使用した冷凍装置と電気部品収納部を配設した自動販売機において、前記電気部品収納部を前記冷凍装置から隔離収納する収納部を備え、前記収納部前面が開口した開口部にカバー部材を設け、前記冷凍装置と電気部品収納部との通気を遮断することを特徴とする自動販売機。
【請求項４】
カバー部材を開閉可能とし、前記カバー部材を開けて電気部品収納部の操作部を操作可能とした請求項３に記載の自動販売機。
【請求項５】
カバー部材の一部に開閉自在な蓋を設け、前記蓋を開けて電気部品収納部の操作部を操作可能とした請求項３に記載の自動販売機。
【請求項６】
カバー部材の周縁部に磁性体シートを貼り付け、被磁性体で構成された収納部の前面開口部を塞ぐことを特徴とした請求項３に記載の自動販売機。
【発明の詳細な説明】
【０００１】
【発明の属する技術分野】
本発明は、商品を冷却する冷凍サイクルの冷媒として可燃性冷媒を使用した自動販売機の構造に関する。
【０００２】
【従来の技術】
近年、地球のオゾン層を保護する観点から、冷却装置の冷凍サイクルに使用されていた冷媒ＣＦＣ（クロロフルオロカーボン）−１２あるいはＨＣＦＣ（ハイドロクロロフルオロカーボン）−２２といった塩素原子を含んだ冷媒の使用が規制され、塩素原子を含まず、オゾン層を破壊しないＨＦＣ（ハイドロフルオロカーボン）冷媒への転換が進行している。
【０００３】
また、従来、主にＨＣＦＣ−２２を用いていた自動販売機においては、その代替冷媒としてＨＦＣ冷媒の混合冷媒であるＲ４０７Ｃが採用され販売されている。
【０００４】
また、断熱材の発泡ガスとしては、ＣＦＣ−１１からＨＣＦＣ−１４１ｂへ転換されてきているが、さらに代替化が望まれている現状である。
【０００５】
しかしながら、現在用いられているＲ４０７ＣなどのＨＦＣ冷媒は、オゾン層破壊はないものの、地球温暖化係数が高いため、地球温暖化に対しては不十分な冷媒となり、そのため地球温暖化係数の低い冷媒として、ＨＦＣに代わってＨＣ（ハイドロカーボン）等の自然系冷媒が注目されている。
【０００６】
一方、ＨＣ系冷媒は可燃性を有しているため、冷却装置における冷凍サイクルの冷媒として使用する場合には安全性確保が課題であり、冷媒封入量の削減、冷媒漏れに対する配慮が必要である。
【０００７】
このことから、万一可燃性冷媒が漏洩し、電気部品等の着火源に近づく危険性を回避するために、可燃性冷媒が空気より重い性質を考慮し、電気部品を冷媒が流れる冷凍装置より上方に配置する方法がある（例えば、特許文献１参照。）。
【０００８】
【特許文献１】
特開２００２−１１５９５３号公報
【０００９】
【発明が解決しようとする課題】
しかし、一般的な自動販売機の本体構造では、図６、図７に示すとおり、自動販売機の本体上部に収納室５１、本体下部に機械室７を形成し、圧縮機、凝縮器、ファン等は主に機械室７に設置されている。また機械室７には、収納室は商品の収納量をできる限り多くするため、冷凍装置を制御する電気部品を収納した電気部品収納部９が設置されている。
【００１０】
このような自動販売機では、機械室内において、可燃性冷媒を使用した冷凍装置と着火源となる電気部品が接近して配置されている。
【００１１】
また、機械室７の風の流れは、図７に示すとおり、電気部品収納部９の付近で滞留するようになり、万一、可燃性冷媒が漏洩した場合、電気部品収納部９の付近に可燃性冷媒が滞留することが考えられます。
【００１２】
本発明は、上記従来の課題を解決するもので、冷凍サイクルの冷媒として可燃性冷媒を使用しても安全性の高い自動販売機を提供することを目的とする。
【００１３】
そしてさらに、万一の冷媒の漏洩に対しても、従来よりさらに安全な自動販売機を提供することを目的とする。
【００１４】
【課題を解決するための手段】
本発明の請求項１に記載の発明は、自動販売機本体の下部に位置する機械室の室内に可燃性冷媒を使用した冷凍装置と電気部品収納部を配設した自動販売機において、前記冷凍装置と前記電気部品収納部の間に仕切り壁を設け、自動販売機の扉を閉じた時、前記仕切り壁と前記扉が当接するものであり、仕切り壁によって冷凍装置から電気部品収納部への通気を遮断することで、万一、可燃性冷媒が漏洩した時には、電気部品収納部への可燃性冷媒の浸入を防止する作用を有する。
【００１５】
請求項２に記載の発明は、請求項１に記載の発明に、さらに、扉側に第２仕切り壁を設け、扉を閉じた時に仕切り壁と当接するものであり、扉を開けた時は、第２仕切り壁は扉側に取付けた状態で、壁が２分割され、本体側の仕切り壁が本体前面に飛び出ることがなく、扉を閉じた時は本体側仕切り壁と扉側の第２仕切り壁が当接し、冷凍装置から電気部品収納部への通気を遮断することで、万一、可燃性冷媒が漏洩した時には、電気部品収納部への可燃性冷媒の浸入を防止する作用を有する。
【００１６】
請求項３に記載の発明は、自動販売機本体の下部に位置する機械室の室内に可燃性冷媒を使用した冷凍装置と電気部品収納部を配設した自動販売機において、前記電気部品収納部を前記冷凍装置から隔離収納する収納部を備え、前記収納部前面が開口した開口部にカバー部材を設けたものであり、電気部品収納部を操作する開口部に冷凍装置からの通気をカバー部材によって遮断することで、万一、可燃性冷媒が漏洩した時には、電気部品収納部への可燃性冷媒の浸入を防止する作用を有する。
【００１７】
請求項４に記載の発明は、請求項３に記載の発明に、さらに、カバー部材を開閉可能とし、前記カバー部材を開けて電気部品収納部の操作部を操作可能としたものであり、通常はカバーを閉じて冷凍装置からの通気をカバー部材によって遮断することで、万一、可燃性冷媒が漏洩した時には、電気部品収納部への可燃性冷媒の浸入を防止し、電気部品収納部内の操作部の操作が必要なときは、カバー部材を開けて操作することができる作用を有する。
【００１８】
請求項５に記載の発明は、請求項３に記載の発明に、さらに、カバー部材の一部に開閉自在な蓋を設け、前記蓋を開けて電気部品収納部の操作部を操作可能としたものであり、カバー部材全体を開閉する必要がなく、電気部品収納部内の操作部を操作するために設けられた蓋を開けて簡単に操作できる作用を有する。
【００１９】
請求項６に記載の発明は、請求項３に記載の発明に、さらに、カバー部材の周縁部に磁性体シートを貼り付け、被磁性体で構成された収納部の前面開口部を塞ぐものであり、磁性体シートが被磁性体の収納部に密着することで、収納部の前面開口部をカバー部材で密閉できる作用を有する。
【００２０】
【発明の実施の形態】
以下、本発明による自動販売機の実施の形態について、図面を参照しながら説明する。
【００２１】
（実施の形態１）
図１は、本発明の実施の形態１による自動販売機の縦断面図である。図２は、同実施の形態の自動販売機の下部横断面図である。
【００２２】
図１、２に示すように、断熱筐体としてなるキャビネット１、扉２に設けた商品取出口３を備え、キャビネット１の庫内の商品収納室４にはサーペンタイン式の商品収納棚５、商品取出口３に導かれる商品搬出シュータ６が備えられている。
【００２３】
また、自動販売機本体の下部に位置する機械室７の室内に、可燃性冷媒を使用した冷凍装置８と電気部品収納部９を配設し、補強部材１０を備える。冷凍装置８は、凝縮器１１、凝縮機ファン１２、圧縮機１３、庫内に蒸発器１４、庫内ファン１５を備えている。電気部品収納部９は電気部品（図示しない）と操作部１６を備えた電気部品ボックス１７を備えている。
【００２４】
また、扉２の下部に、外気との循環のための通風孔１８を備えている。
【００２５】
ここで機械室７の中では通常、凝縮機ファン１２を稼動させ、通風孔１８から外気を取り入れ、凝縮機１１と圧縮機１３を冷却し、さらに自動販売機後方へ向かう流れを作り、機械室７内を換気することができる。
【００２６】
しかし、従来の自動販売機の機械室７では、図６に示すとおり、電気部品収納部９近傍の風の流れは淀み状態になり、可燃性冷媒が漏洩した時には、漏洩冷媒が滞留したまま排出されない状態が続くことになる。その結果、着火源となる電機部品が配置されている電気部品ボックス１７の中に可燃性冷媒が浸入することが考えられる。
【００２７】
このことから、可燃性冷媒が漏洩した時に、電気部品収納部９へ漏洩冷媒が浸入することを防止する必要がある。
【００２８】
そのために、冷凍装置８と電気部品収納部９との間に仕切り壁１９を設け、さらに、扉２側に第２仕切り壁２０を設け、仕切り壁１９と第２仕切り壁２０が当接する部分には、シール性を高めるために、第２仕切り壁２０にシール部材２０ａが取り付けられている。シール部材２０ａは仕切り壁１９側に設けてもよい。
【００２９】
仕切り壁１９は機械室７の背面まで延設され、補強部材１０の背面で電気部品収納部９を囲い込むように取り付けられている。
【００３０】
以上のように構成された自動販売機について、以下その動作を説明する。
【００３１】
まず、扉２を閉じると、仕切り壁１９と第２仕切り壁２０はシール部材２０ａを介して当接し、機械室７を圧縮機１３などの冷凍装置８が配置されている空間と、電気部品収納部９が配置されている空間とに分離することができる。このように仕切り壁１９と第２仕切り壁２０によって仕切られた２つの空間は、互いに空気の循環がなくなり、凝縮機ファン１２の風は電気部品収納部９が配置されている空間には入りこむことはない。
【００３２】
よって、万一、可燃性冷媒が漏洩した場合にも、電気部品収納部９の近傍への可燃性冷媒が浸入することはなく、安全性を確保することができる。
【００３３】
以上のように本実施の形態の自動販売機は、自動販売機本体の下部に位置する機械室７の室内に配設された可燃性冷媒を使用した冷凍装置８と電気部品収納部９の間に仕切り壁１９を設け、自動販売機の扉２を閉じた時、仕切り壁１９と扉２が当接することで、冷凍装置８と電気部品収納部９は遮断された２つの空間にそれぞれ配置される状態となり、万一、可燃性冷媒漏洩時に、可燃性冷媒が電気部品収納部９および操作部１６を備えた電気部品ボックス１７を有する領域へ浸入するのを防止することで、電気部品ボックス１７の漏電等の着火源によって、可燃性冷媒に引火あるいは爆発するのを防止することができる。
【００３４】
また、扉２側に第２仕切り壁２０を設け、扉を開けた時は、第２仕切り壁２０は扉２側に取付けた状態で、壁が２分割され、本体側の仕切り壁１９が本体前面に飛び出ることがなく、扉２を閉じた時は本体側仕切り壁１と扉２側の第２仕切り壁２０が当接し、冷凍装置８から電気部品収納部９への通気を遮断することで、万一、可燃性冷媒が漏洩した時には、電気部品収納部９への可燃性冷媒の浸入を防止することができる。
【００３５】
さらに、第２仕切り壁２０にシール部材２０ａが取り付けられており、本体１と扉２の取り付け具合により、仕切り壁１９と第２仕切り壁２０との隙間が生じた場合においても、その隙間をふさぐことができ、その結果、冷凍装置８から電気部品収納部９への通気を遮断することで、万一、可燃性冷媒が漏洩した時には、電気部品収納部９への可燃性冷媒の浸入を防止することができる。
【００３６】
（実施の形態２）
図３は、本発明の実施の形態２による自動販売機の下部横断面図である。なお、実施の形態１と同一構成については、同一記号を付して詳細な説明を省略する。
【００３７】
図３において、機械室７の室内に設けた電気部品収納部９は、操作部１６を備えた電気部品ボックス１７を隔離収納する収納部２１を備える構造である。
【００３８】
操作部１６を備えた電気部品ボックス１７を隔離収納する収納部２１前面の開口した開口部２２にはカバー部材２３が設けられている。カバー部材２３はねじ（図示しない）等で収納部２１前面に隙間無く取り付けられている。隙間を塞ぐためにシール部材（図示しない）をカバー部材２３と収納部２１前面の間に設けることが有効である。収納部２１は前面開口部２２以外は密閉構造で外気との通気は完全に遮断されている。収納部２１は実施の形態１で説明した補強部材１０と共用構造としている。
【００３９】
以上のように構成された自動販売機について、以下その動作を説明する。
【００４０】
まず、電気部品ボックス１７は隔離収納する収納部２１に収納され、さらに前面開口部２２をカバー部材２３にて塞がれているため、冷凍装置８の凝縮機ファン１２が発生する風は収納部２１に入り込むことがない。
【００４１】
よって、万一、可燃性冷媒が漏洩した場合にも、電気部品ボックス１７の中への可燃性冷媒の浸入を防止することができる。
【００４２】
以上のように本実施の形態の自動販売機は、電気部品ボックス１７を隔離収納する収納部２１前面の開口した開口部２２にはカバー部材２３が設けられていることにより、万一、可燃性冷媒が漏洩した場合にも、電気部品ボックス１７の中への可燃性冷媒の浸入を防止することができ、安全性を確保することができる。
【００４３】
また、収納部２１は実施の形態１で説明した補強部材１０と共用構造としたことにより、強度を確保すると同時に万一の可燃性冷媒の漏洩に対しても、安全性を確保することができる。
【００４４】
（実施の形態３）
図４は本発明の実施の形態３による自動販売機の下部断面図、図５は同実施の形態３の自動販売機の下部正面図である。なお、実施の形態１、実施の形態２と同一構成については、同一記号を付して詳細な説明を省略する。
【００４５】
図４において、蓋２４は収納部２１の前面に設けられ、蓋２４の周縁には磁性体シート２５が貼り付けられており、収納部２１の前面開口部２２を塞いでいる。また、蓋２４の位置を決めるために１箇所をねじ２６にて、回動可能に半固定されている。蓋２４は操作部１６の状態が見えるように透明板で構成されている。実施の形態２で説明したカバー部材２３は本実施の形態３では蓋２４として説明する。
【００４６】
以上のように構成された自動販売機について、以下その動作を説明する。
【００４７】
電気部品ボックス１７を収納部２１に収めている点は実施の形態２と同じ構造である。
【００４８】
本実施の形態では、前面開口部２２を塞ぐ方法として、磁性体シート２６を周縁に貼り付けた蓋２４を鉄板材で構成された収納部２１の前面に貼り付ける構造となっており、磁性体シート２６により蓋２４は収納部前面に密着させることができる。蓋２４は透明な部材で構成されており、操作部１６の状態が蓋２４を開けなくても確認することができる。
【００４９】
操作部１６を操作する場合は、ねじ２６を中心に蓋２４を回転させると、開口部２２に隙間を開けることができ、操作部１６を操作できる。また、蓋２４を薄い樹脂シート等で形成されていれば、ねじ２６を中心に回動させなくても、手前にめくるように開けることも可能である。
【００５０】
以上のように本実施の形態の自動販売機は、自動販売機本体の下部に位置する機械室７の室内に配設された電気部品収納部９に操作部１６を備えた電気部品ボックス１７を隔離収納する収納部２１を備え、収納部２１前面の開口した開口部２２に磁性体シート２５を蓋２４の周縁に設けることで、蓋２４と収納部２１とは密着させることができ、操作部１６を備えた電気部品ボックス１７は完全に冷凍装置８とからは隔離され、万一、可燃性冷媒が漏洩した時でも可燃性冷媒の浸入を防止することができ、電気部品ボックス１７の漏電等の着火源によって、可燃性冷媒に引火あるいは爆発するのを防止することができる。
【００５１】
【発明の効果】
以上説明したように請求項１に記載の発明は、機械室に配設された冷凍装置と電気部品収納部との間に仕切り壁を設けたものであり、扉を閉じた時に仕切り壁と扉が当接することで、機械室において電気部品収納部および操作部を備えた電気部品ボックスを有する領域が隔離され、万一、可燃性冷媒が漏洩した時でも可燃性冷媒の浸入を防止することができ、電気部品ボックスの漏電等の着火源によって、可燃性冷媒に引火あるいは爆発するのを防止することができる。
【００５２】
また、請求項２に記載の発明は、請求項１の発明に加えて、扉側に第２仕切り壁を設けたものであり、扉を閉じた時に仕切り壁と当接し、扉を開けた時は、第２仕切り壁は扉側に取付けた状態で、壁が２分割され、本体側の仕切り壁が本体前面に飛び出ることがなく、扉を閉じた時は本体側仕切り壁と扉側の第２仕切り壁が当接することで、電気部品収納部および操作部を備えた電気部品ボックスを有する領域が自動販売機外とも隔離され、万一、可燃性冷媒が漏洩した時でも可燃性冷媒の浸入を防止することができ、電気部品ボックスの漏電等の着火源によって可燃性冷媒に引火あるいは爆発するのを防止することができる。
【００５３】
請求項３に記載の発明は、機械室の室内に設けた電気部品収納部に、操作部を備えた電気部品ボックスを隔離収納する収納部を備える構造であり、操作部を備えた電気部品ボックスを隔離収納する収納部前面の開口した開口部にカバー部材を設けることで、操作部を備えた電気部品ボックスは隔離され、万一、可燃性冷媒が漏洩した時でも可燃性冷媒の浸入を防止することができ、電気部品ボックスの漏電等の着火源によって、可燃性冷媒に引火あるいは爆発するのを防止することができる。
【００５４】
また、請求項４に記載の発明は、請求項３の発明に加えて、カバー部材を開閉可能にしたものであり、電気部品収納部の収納部に隔離収納された電気部品ボックスの操作部の操作が必要な時は、カバー部材を開けて操作することができる。
【００５５】
また、請求項５に記載の発明は、請求項３の発明に加えて、カバー部材の一部に開閉自在な蓋を設けたものであり、カバー部材全体を開閉する必要がなく、電気部品収納部の収納部に隔離収納された電気部品ボックスの操作部の操作が必要な時は、蓋を開けて簡単に操作することができる。
【００５６】
また、請求項６に記載の発明は、請求項３の発明に加え、カバー部材の周縁に磁性体シートを貼り付けることで、カバー部材と収納部とは密着させることができ、操作部を備えた電気部品ボックスは完全に冷凍装置とからは隔離され、万一、可燃性冷媒が漏洩した時でも可燃性冷媒の浸入を防止することができ、電気部品ボックスの漏電等の着火源によって、可燃性冷媒に引火あるいは爆発するのを防止することができる。
【図面の簡単な説明】
【図１】本発明による自動販売機の実施の形態１の下部横断面図
【図２】同実施の形態の自動販売機の下部正面図
【図３】本発明による自動販売機の実施の形態２の下部横断面図
【図４】本発明による自動販売機の実施の形態３の下部横断面図
【図５】同実施の形態の自動販売機の下部正面図
【図６】従来の自動販売機の本体側正面図
【図７】従来の自動販売機の下部横断面図
【符号の説明】
１  本体
２  扉
７  機械室
８  冷却装置
９  電気部品収納部
１６  操作部
１９  仕切り壁
２０  第２仕切り壁
２１  収納部
２２  開口部
２３  カバー部材
【図１】
2004295618.tif 000003
【図２】
2004295618.tif 000004
【図３】
2004295618.tif 000005
【図４】
2004295618.tif 000006
【図５】
2004295618.tif 000007
【図６】
2004295618.tif 000008
【図７】
2004295618.tif 000009